(57)【要約】【課題】横目地幅で仕切られた複数のブロック模様有する建築板を建造物外表面に規則的に張設したとき、該建築板の該横目地が多少上下方向にずれて施工されても、該横目地の連続性に違和感が起こらないようにした建築板を提供する。【解決手段】ブロック模様２の上下方向のブロック幅のそれぞれの少なくとも一部を不均一にするとともに、該横目地３の上下方向の横目地幅ｗのそれぞれの少なくとも一部を不均一にし、且つ、該２つの建築板１、１を、その一方の建築板１の上下方向が正規状態となり且つその他方の建築板１の上下方向が反転状態となるよう、水平方向に隣接させて張設したとき、水平方向に相対向して隣り合うそれぞれの横目地３、３が上下方向に隙間をもって離間しない状態で対向する。【選択図】　図１
2004107874.tif 000002
【特許請求の範囲】
【請求項１】
表面に突出した複数のブロック模様を水平方向に並設した複数個の横目地で仕切った建築板であって、建造物外表面に上下左右方向に規則的に張設する建築板において、該ブロック模様の上下方向のブロック幅のそれぞれの少なくとも一部を不均一にするとともに、該横目地の上下方向の横目地幅のそれぞれの少なくとも一部を不均一にし、且つ、該２つの建築板を、その一方の建築板の上下方向が正規状態となり且つその他方の建築板の上下方向が反転状態となるよう、水平方向に隣接させて張設したとき、水平方向に相対向して隣り合うそれぞれの横目地が上下方向に隙間をもって離間しない状態で対向することを特徴とする建築板。
【請求項２】
上記建築板の表面上下方向に等間隔で想定された仮想水平基準線が上記相対向して隣り合うそれぞれの横目地内を通るようにした請求項１記載の建築板。
【請求項３】
上記建築板を水平方向に隣接して張設したとき、左側の建築板の横目地に対向する、右側の建築板の横目地の位置関係を、少なくとも上方向ずれと下方向ずれとが存在する位置関係にした請求項１記載の建築板。
【請求項４】
上記建築板を水平方向に隣接して張設したとき、左側の建築板の横目地の横目地幅と、該横目地に対向する右側の建築板の横目地の横目地幅との大きさが異なるようにした請求項１記載の建築板。
【請求項５】
上記建築板を水平方向に隣接して張設したとき、左側の建築板のブロック模様に対向する、右側の建築板のブロック模様の位置関係を、少なくとも上方向ずれと下方向ずれとが存在する位置関係にした請求項１記載の建築板。
【発明の詳細な説明】
【０００１】
【発明の属する技術分野】
本発明は、建築板の表面形状に係り、表面に水平方向の複数個の横目地を並設した建築板であって、該建築板を建造物外表面に規則的に張設したとき、張設高さが同一である隣り合う該建築板の該横目地が多少上下方向にずれていても、外形模様を形成する該横目地の連続性に違和感が起こらないようにした建築板に関するものである。
【０００２】
【従来の技術】
従来、建築板の継ぎ目で、建築板表面に形成されたレンガ柄模様の目地が多少ずれたとしても、それがほとんど目立たず、美観を損なわないようにするため、建築板表面のレンガの大きさや、レンガ間の目地幅を不規則的に変更したものがある（例えば、特許文献１参照。）。
【０００３】
【特許文献１】
特開平８−１０９７２８号公報（第１頁、図１、図２）
【０００４】
【発明が解決しようとする課題】
特許文献１の建築板は、建築板の外表面に形成したレンガ模様の配列が複雑であり、該建築板を張設したとき、レンガ模様の上下左右方向の規則性が損なわれるものであった。本発明の建築板は、表面に突出した複数のブロック模様を水平方向に並設された複数個の横目地で仕切り、該建築板を建造物外表面に規則的に張設したとき、全体として、該ブロック模様の上下左右方向の規則的配置模様を維持しつつ、張設高さが同一である隣り合う該建築板の該横目地が多少上下方向にずれていても、外形模様を形成する該横目地の連続性に違和感が起こらないようにした建築板を提供することを課題とする。
【０００５】
【課題を解決するための手段】
本発明は、上記課題を解決するために、次のような技術的手段を講じている。すなわち、請求項１記載の発明は、表面に突出した複数のブロック模様を水平方向に並設した複数個の横目地で仕切った建築板であって、建造物外表面に上下左右方向に規則的に張設する建築板において、該ブロック模様の上下方向のブロック幅のそれぞれの少なくとも一部を不均一にするとともに、該横目地の上下方向の横目地幅のそれぞれの少なくとも一部を不均一にし、且つ、該２つの建築板を、その一方の建築板の上下方向が正規状態となり且つその他方の建築板の上下方向が反転状態となるよう、水平方向に隣接させて張設したとき、水平方向に相対向して隣り合うそれぞれの横目地が上下方向に隙間をもって離間しない状態で対向することを特徴とする建築板である。このような構成により、水平方向に隣接して配設される建築板を交互に上下方向を反転させて張設すれば、例え施工上の誤差により隣接する建築板が互いに上下方向に多少ずれて張設された場合でも、張設された該建築板を外から見たとき該横目地の上下方向のずれが目立ちにくく、ブロック模様や横目地の模様の連続性に違和感を感じにくいのである。
【０００６】
請求項２記載の発明は、請求項１記載の建築板において、建築板の表面上下方向に等間隔で想定された仮想水平規準線が上記相対向して隣り合うそれぞれの横目地内を通るようにした建築板である。このような構成により、建築板のブロック模様や横目地が上下方向に規則的に配設されたように見えやすく、建造物外表面に張設された本発明の建築板は全体として、規則的に配設されたブロック模様の建築板が張設されたように見え、一層違和感を感じにくいのである。
【０００７】
請求項３記載の発明は、請求項１記載の建築板において、建築板を水平方向に隣接して張設したとき、左側の建築板の横目地に対向する、右側の建築板の横目地の位置関係を、少なくとも上方向ずれと下方向ずれとが存在する位置関係にした、建築板である。このような構成により、隣接張設された建築板の相対向する横目地が上下方向に適当にずれるようになり、水平方向に隣接する建築板の接続部に違和感がなくなるのである。
【０００８】
又、請求項４記載の発明は、請求項１記載の建築板において、建築板を水平方向に隣接して張設したとき、左側の建築板の横目地の横目地幅と、該横目地に対向する右側の建築板の横目地の横目地幅との大きさが異なる建築板である。このような構成により、隣接張設された建築板が上下方向に多少ずれて施工された場合でも、横目地の相対的ずれが目立ちにくく、隣接する建築板の接続部に違和感がなくなるのである。
【０００９】
更に、請求項５記載の発明は、請求項１記載の建築板において、建築板を水平方向に隣接して張設したとき、左側の建築板のブロック模様に対向する、右側の建築板のブロック模様の位置関係を、少なくとも上方向ずれと下方向ずれとが存在する位置関係にした、建築板である。このような構成により、隣接張設された建築板の相対向するブロック模様が上下方向に適当にずれるので上下に隣接する建築板本体の接続部に違和感がなくなるのである。
【００１０】
【発明の実施の形態】
以下、本発明の好ましい実施の形態について、図面を参照してより詳細に説明する。先ず最初に、本発明の建築板の表面模様を図示しない状態の斜視図である図３および６枚の建築板１を建築物外表面に張設した状態を示す正面図である図４を参照して説明する。本発明の建築板１は建造物の外表面に、上下左右方向に規則的に張設するものである。建築板１の形状は横長矩形体であり、図４に示す如く、建築板１、１間の垂直目地１１および水平目地１２を境界部として整然と張設されるものである。垂直目地１１および水平目地１２には通常シーリング剤が充填される。図１は本発明にかかる建築板の一実施例の張設状態を示す一部切欠正面図、図２は上記一実施例の建築板の角部の一部切欠拡大斜視図である。
【００１１】
図１、図２に示す如く、本発明の建築板１はその表面には７個のブロック模様２が隆起して水平方向に並設されている。該ブロック模様２は実施例においては四角錐台形状である。各ブロック模様２間は横目地３で仕切られている。図１に示す２枚の建築板１、１は同一の表面形状模様を有するものであり、同図において、左側の建築板１はその上下方向が正規状態で張設されており、右側の建築板１はその上下方向が１８０度反転された状態で張設されている。並設されている７個のブロック模様２の上下方向のそれぞれのブロック幅ｈは均一ではない。また、６個の横目地３の上下方向のそれぞれの横目地幅ｗも均一ではない。該ブロック幅ｈおよび横目地幅ｗの寸法関係を説明するために、図１に示した左側の建築板１において、ブロック模様２を上から順番に２１、２２、２３、２４、２５、２６、２７の番号を振り、横目地３にも上から順番に３１、３２、３３、３４、３５、３６の番号を振る。この番号は図１に示した右側の建築板１においては下から順番に振られることになる。ｒは建築板１の表面に仮想的に想定した仮想水平規準線であり、該仮想水平規準線ｒは建築板１の表面の上下方向に等間隔Ｒで仮想的に想定される。
【００１２】
図１から理解できるように、等間隔Ｒで想定された各仮想水平規準線ｒは、　左右に並設された建築板１、１の相対向して隣接する各横目地３、３内を通る位置関係にある。具体的には、例えば、仮想水平規準線ｒは右側の横目地３１および左側の横目地３６内を通る位置関係にある。以下同様に、水平方向に相対向して隣接する横目地３２と３５、３３と３４、３４と３３、３５と３２、３６と３１内のそれぞれを、各仮想水平規準線ｒが通る位置関係にある。又、横目地３１、３３、３５のそれぞれの横目地幅ｗは大きく、横目地３２、３４、３６のそれぞれの横目地幅ｗは小さく前者の半分となっている。更に、左側の横目地３１に対する右側の横目地３６および左側の横目地３６に対する右側の横目地３１はその水平中心線が上方にずれている。又、左側の横目地３２に対する右側の横目地３５および左側の横目地３５に対する右側の横目地３２はその中心線は一致している。更に、左側の横目地３３に対する右側の横目地３４および左側の横目地３４に対する右側の横目地３３はその水平中心線が下方にずれている。一方、ブロック模様の上下方向のブロック幅ｈ１、ｈ６、ｈ７は標準幅となっており、ブロック幅ｈ４は標準幅より少し大きく、ブロック幅ｈ２、ｈ５は標準幅より少し小さく、ブロック幅ｈ３は最小となっている。左右に相対向して隣接したブロック模様２の上下方向のずれ方は図１に示したように、両者が上下方向にずれる関係、或るはずれがない関係（例えば、ブロック模様２１とブロック模様２７）になっている。
【００１３】
【発明の効果】
以上述べたように、請求項１記載の発明は、表面に突出した複数のブロック模様２を水平方向に並設した複数個の横目地３で仕切った建築板１であって、建造物外表面に上下左右方向に規則的に張設する建築板において、該ブロック模様２の上下方向のブロック幅のそれぞれの少なくとも一部を不均一にするとともに、該横目地３の上下方向の横目地幅ｗのそれぞれの少なくとも一部を不均一にし、且つ、該２つの建築板１、１を、その一方の建築板１の上下方向が正規状態となり且つその他方の建築板１の上下方向が反転状態となるよう、水平方向に隣接させて張設したとき、水平方向に相対向して隣り合うそれぞれの横目地３、３が上下方向に隙間をもって離間しない状態で対向するようにしたから、水平方向に隣接して配設される建築板１、１を交互に上下方向を反転させて張設すれば、例え施工上の誤差により隣接する建築板１、１が互いに上下方向に多少ずれて張設された場合でも、張設された該建築板１、１を外から見たとき該横目地３、３の上下方向のずれが目立ちにくく、ブロック模様２、２や横目地３、３の模様の連続性に違和感を感じにくいのである。
【００１４】
請求項２記載の発明は、請求項１記載の建築板において、建築板１の表面上下方向に等間隔Ｒで想定された仮想水平基準線ｒが上記相対向して隣り合うそれぞれの横目地３内を通るようにしたから、建築板１のブロック模様２や横目地３が上下方向に規則的に配設されたように見えやすく、建造物外表面に張設された本発明の建築板は全体として、規則的に配設されたブロック模様の建築板が張設されたように見え、一層違和感を感じにくいのである。
【００１５】
請求項３記載の発明は、請求項１記載の建築板において、建築板１、１を水平方向に隣接して張設したとき、左側の建築板１の横目地３に対向する、右側の建築板１の横目地３の位置関係を、少なくとも上方向ずれと下方向ずれとが存在する位置関係にしたから、隣接張設された建築板１、１の相対向する横目地３、３が上下方向に適当にずれるようになり、水平方向に隣接する建築板１、１の接続部に違和感がなくなるのである。
【００１６】
請求項４記載の発明は、請求項１記載の建築板において、建築板１、１を水平方向に隣接して張設したとき、左側の建築板１の横目地３の横目地幅ｗと、該横目地３に対向する右側の建築板１の横目地３の横目地幅ｗとの大きさが異なるようにしたから、隣接張設された建築板１、１が上下方向に多少ずれて施工された場合でも、横目地２の相対的ずれが目立ちにくく、隣接する建築板１、１の接続部に違和感がなくなるのである。
【００１７】
又、請求項５記載の発明は、請求項１記載の建築板において、建築板１、１を水平方向に隣接して張設したとき、左側の建築板１のブロック模様２に対向する、右側の建築板１のブロック模様２の位置関係を、少なくとも上方向ずれと下方向ずれとが存在する位置関係にしたから、隣接張設された建築板１、１の相対向するブロック模様２、２が上下方向に適当にずれるので上下に隣接する建築板本体の接続部に違和感がなくなるのである。
【図面の簡単な説明】
【図１】本発明にかかる建築板の一実施例の張設状態を示す一部切欠正面図。
【図２】上記一実施例の建築板の角部の一部切欠拡大斜視図。
【図３】上記実施例の建築板の表面模様を図示しない状態の斜視図。
【図４】図３に示した建築板６枚を建造物外表面に張設した状態を示す正面図。
【符号の説明】
１　　　　　建築板
１１　　　　建築板間の垂直目地
１２　　　　建築板間の水平目地
２　　　　　建築板のブロック模様
２１〜２７　ブロック模様
３　　　　　建築板の横目地
３１〜３６　建築板の横目地
ｈ１〜ｈ７　ブロック模様の上下方向のブロック幅
ｗ　　　　　横目地の上下方向の横目地幅
Ｒ　　　　　仮想水平規準線の間隔
ｒ　　　　　仮想水平規準線
【図１】
2004107874.tif 000003
【図２】
2004107874.tif 000004
【図３】
2004107874.tif 000005
【図４】
2004107874.tif 000006